(57)【特許請求の範囲】
【請求項１】
一側面がほぼ垂直な壁面となるように樹脂発泡体ブロックを多段に積み上げ、その上面に路盤などの仕上げ構造材を配置するようにした軽量盛土構造物において、前記壁面を構成する樹脂発泡体ブロックにおける前記壁面側の面の４周はその面の面積が小さくなる方向である内側への傾斜面となっていて、互いに隣接する樹脂発泡体ブロック同士は前記壁面側において各樹脂発泡体ブロックの厚みの３％以上の深さの非接触領域を形成しており、前記仕上げ構造材は多段に積み上げた樹脂発泡体ブロックの前記非接触領域の上方には形成されてなく、かつ、多段に積み上げた樹脂発泡体ブロックの前記壁面を構成する側の面には無機材料系の表面材が被覆されていることを特徴とする軽量盛土構造物。
【請求項２】
樹脂発泡体ブロックの前記壁面を構成する側の面に凹凸模様が形成されていることを特徴とする請求項１記載の軽量盛土構造物。
【発明の詳細な説明】
【０００１】
【発明の属する技術分野】
本発明は、樹脂発泡体ブロックを軽量盛土材として用いた軽量盛土構造物に関する。
【０００２】
【従来の技術】
軟弱地盤や地滑り地などでの盛土工法の一つとしてＥＰＳ工法のような軽量盛土材を用いた軽量盛土工法が知られている。この工法は、地盤改良にかかる経費の節減、工期の短縮、耐震性の向上などにおいて優れた効果を発揮することから、種々の土木工事において広く採用されている。図３は、軽量盛土工法を道路の拡幅工事に用いる場合の一例を示す断面図であり、軽量盛土材として発泡スチロールブロック（ＥＰＳブロック）を使用している。
【０００３】
この例においては、中腹部に作られている既存の道路１を既存地山の斜面側に拡幅しており、支持地盤３側を適宜の傾斜角度に整備した後、Ｈ形鋼２を建て込み、該Ｈ形鋼２と支持地盤３との間にＥＰＳブロック４を積み上げて、傾斜面とは反対側の面はほぼ垂直面となった所定の高さの盛土部を形成している。その後、仕上げ構造材として、積み上げたＥＰＳブロック４の全面にコンクリート床版５を作り、その上に、通常の土木工事のように、路盤８やアスファルト９などの工事が施されて、道路の拡幅工事は終了する。なお、図で６はアンカーであり、コンクリート床版５にアンカーヘッド５ａを介して固定され、軽量盛土構造物の安定化を維持している。
【０００４】
通常、ＥＰＳブロック４のような樹脂発泡体は耐候性が十分でないことから、積み上げた樹脂発泡体ブロックの側面には適宜の耐候性処理が施される。上記のものでは、Ｈ形鋼２を利用して軽量コンクリート板のような耐候性を備えた壁面保護材７を取り付けている。他の例として、支柱としてのＨ形鋼にトラス金網を固定し、その全面にモルタルを吹き付けることも提案されている（特開平７−３４４６２号公報）。
【０００５】
一方、近年にいたり、ＥＰＳブロックのような樹脂発泡体ブロックは相互間で所要の摩擦抵抗を有しており十分に自立性があることが知られるようになり、構造材として機能する支柱（Ｈ形鋼）を建て込まずに、一側面がほぼ垂直な壁面となるように樹脂発泡体ブロックを多段に積み上げ、その上面にコンクリート床版や路盤などの仕上げ構造材を配置するようにした軽量盛土構造物も実際に施工されるようになってきている。この施工方法はＨ形鋼の建て込みを行わないことから、施工コストの大幅な低減が期待でき、高い将来性を備えている。
【０００６】
【発明が解決しようとする技術課題】
ところで、ＥＰＳブロックのような樹脂発泡体ブロックは弾塑性体であり、ＥＰＳブロックの上に、仕上げ施工としてコンクリート床版、路盤やアスファルト舗装などを積み上げるとＥＰＳブロックが沈下（各ブロックの厚みの１〜２％程度）する。従って、従来工法では、前記のように、樹脂発泡体ブロックの壁面に建てた構造材としてのＨ型鋼を利用して耐候性材料からなる擁壁を構築し、樹脂発泡体ブロックの圧縮による変形（沈下）の影響が擁壁に作用しないようにしている。もし、積み上げた樹脂発泡体ブロックの壁面に直接軽量コンクリート板を固定したり、モルタルを吹き付けるなどにより無機材料系の表面材を形成した場合には、表面材が弾塑性体でないことから、樹脂発泡体ブロックの沈下により、固定した軽量コンクリート板がはずれたり、モルタル擁壁に剥離やひび割れが生じるのを避けられない。
【０００７】
図４はモルタル擁壁などの表面材に剥離やひび割れが生じる現象を説明するための概念図である。図４ａは積み上げたＥＰＳブロックにモルタル擁壁を構築したものであり、荷重源であるコンクリート床版などの仕上げ構造材は形成されておらず、ＥＰＳブロックには荷重がかかっていない状態を示すものである。図４ｂはコンクリート床版などの仕上げ構造材が形成されており、荷重の影響で各ブロックに厚み１〜２％程度の横方向にふくらむ圧縮変形が生じているものであり、ＥＰＳブロックとモルタル擁壁間が弱い場合にはモルタル擁壁に剥離が生じる現象を示すものである。図４ｃはＥＰＳブロックとモルタル擁壁間の接着が強い場合にはモルタル擁壁にひび割れが生じる現象を示すものである。
【０００８】
そのために、構造材として機能する支柱（Ｈ型鋼）を建て込まずに行う軽量盛土工法において、耐候性付与のための擁壁の構築をどのようにして行うべきかは緊要の課題となっており、効果的な解決手段が求められている。本発明は、前記課題を解決することを目的としており、より具体的には、樹脂発泡体ブロックの壁面に無機材料系表面材を直接施した場合でも、樹脂発泡体ブロックの変形（沈下）により表面材が悪影響を受けないようにした、改良された軽量盛土構造物を提供することを目的とする。
【０００９】
【課題を解決するための手段】
上記の課題を解決するための本発明による軽量盛土構造物は、一側面がほぼ垂直な壁面となるように樹脂発泡体ブロックを多段に積み上げ、その上面に路盤などの仕上げ構造材を配置するようにした軽量盛土構造物において、前記壁面を構成する樹脂発泡体ブロックにおける前記壁面側の面の４周は内側への傾斜面となっていて、互いに隣接する樹脂発泡体ブロック同士は前記壁面側において一定深さの非接触領域を形成しており、前記仕上げ構造材は多段に積み上げた樹脂発泡体ブロックの前記非接触領域の上方には形成されてなく、かつ、多段に積み上げた樹脂発泡体ブロックの前記壁面を構成する側の面には無機材料系の表面材が被覆されていることを特徴とする。
【００１０】
本発明による軽量盛土構造物では、互いに隣接する樹脂発泡体ブロック同士は、その壁面側に各樹脂発泡体ブロックの厚みの３％以上の深さの一定深さ（好ましくは、各ブロックの厚みの５〜１５％）の非接触領域を４周に有している。そして、樹脂発泡体ブロックに対する荷重源であるコンクリート床版などの仕上げ構造材は、多段に積み上げた樹脂発泡体ブロックの前記非接触領域の上方には形成されていない。そのために、施工後に仕上げ構造材の影響で各樹脂発泡体ブロックに厚みの１〜２％程度の横方向にふくらむ圧縮変形が生じても、各ブロックの厚みの３％以上の深さの非接触領域があれば、その影響は当該樹脂発泡体ブロックの壁面側の面では緩和され、かつ、該壁面側の面に形成した無機材料系の表面材には、仕上げ構造材の荷重が直接作用することはないので、前記表面材は安定した状態下に常時おかれることとなり、剥離やひび割れが生じることはない。
【００１１】
従って、例えばモルタルの吹き付けなどにより、樹脂発泡体ブロックの壁面側の面に表面材を容易に形成することができ、かつ形成された表面材は安定した状態を長期にわたり維持するようになる。もし、樹脂発泡体ブロックの壁面を構成する側の面に凹凸模様（集積した石や岩のような模様、幾何学的な模様など）をあらかじめ形成しておく場合には、その上からモルタルを吹き付けることにより、軽量盛土構造物の側壁面を意匠性に富んだものとすることができる。
【００１２】
【発明の実施の形態】
以下、図面を参照しながら本発明の一実施の形態を説明する。図１は、本発明に係る軽量盛土構造物の要部を断面で示している。この軽量盛土構造物では、施工に際して、図３に示した従来工法の場合と同様に支持地盤３側を適宜の傾斜角度に整備する。その後、支持部材としてのＨ型鋼の建て込みを行うことなく、傾斜面とは反対側の面がほぼ垂直な壁面となるように樹脂発泡体ブロック（例えば、ＥＰＳブロック）４を多段に積み上げ、所定の高さの盛土部を形成する。
【００１３】
その後、コンクリート床版５を形成し、該コンクリート床版５をアンカーヘッド５ａを介して地中に埋設したアンカー６に固定すること、その上に、通常の土木工事のように、路盤８やアスファルト９などの仕上げ工事を施すことも従来の軽量盛土工法と同様である。
【００１４】
本発明に係る軽量盛土構造物において、積み上げた樹脂発泡体ブロック４のうち、前記壁面を構成することとなる樹脂発泡体ブロック４ａにおける前記壁面側の面１１の４周は内側への傾斜面１２となっており、それにより、互いに隣接する樹脂発泡体ブロック４ａ同士の前記壁面１１側の４周には、各ブロック４ａの厚みの３％以上の深さＨ（好ましくは、ブロック４ａの厚みの５〜１５％程度）の非接触領域１３が形成されるようになっている。
【００１５】
さらに、図１に示すように、仕上げ構造材（コンクリート床版５、路盤８、アスファルト９など）は、多段に積み上げた樹脂発泡体ブロック４ａの前記非接触領域１３の上方には形成されてなく、かつ、多段に積み上げた樹脂発泡体ブロック４ａの前記壁面を構成する側の面１１には、適宜の模様としての凹凸が形成されるとともに、その上からモルタルを吹きつけるなどにより、無機材料系の表面材１４を被覆形成している。
【００１６】
上記の構造である本発明による軽量盛土構造物では、施工後に仕上げ構造材の荷重の影響で各樹脂発泡体ブロック４、４ａに厚みの１〜２％程度の横方向にふくらむ圧縮変形が生じても、その影響は、壁面側を構成する樹脂発泡体ブロック４ａの壁面側の面１１の４周に存在する、各ブロック４ａの厚みの３％以上の深さＨの非接触領域１３により緩和される。さらに、該壁面側の面１１に形成した無機材料系の表面材１４には、仕上げ構造材の荷重が直接作用することはないので、表面材１４は安定した状態下に常時おかれることとなり、表面材１４に剥離やひび割れが生じることは回避される。
【００１７】
【発明の効果】
本発明による軽量盛土構造物では、樹脂発泡体ブロックの壁面を構成する側の面に直接無機材料系の表面材を形成しても、該表面材に剥離やひび割れが生じることはない。従って、例えばモルタルの吹き付けなどにより、耐候性のある表面材を容易に形成することができ、かつ形成された表面材は安定した状態を長期にわたり維持される。もし、集積した石や岩のような模様、幾何学的な模様などをあらかじめ形成しておく場合には、その上からモルタルを吹き付けることにより、軽量盛土構造物の側壁面を意匠性に飛んだものとすることができる。
【図面の簡単な説明】
【図１】本発明に係る軽量盛土構造物の要部を示す断面図。
【図２】壁面を構成することとなる樹脂発泡体ブロックにおける壁面側の面を説明するための概念図。
【図３】従来の軽量盛土構造物を説明する断面図。
【図４】表面材に剥離やひび割れが生じる現象を説明するための概念図。
【符号の説明】
４、４ａ…発泡樹脂製ブロック、５…コンクリート床版、８…路盤、９…アスファルト舗装、１１…樹脂発泡体ブロックにおける壁面側の面、１２…内側への傾斜面、１３…非接触領域、１４…無機材料系の表面材
【図１】
0003751855.tif 000002
【図２】
0003751855.tif 000003
【図３】
0003751855.tif 000004
【図４】
0003751855.tif 000005